(57)【要約】【課題】より大きな洗浄力によって、頑固な汚れが落ちやすくなる二槽式洗濯機を提供する。【解決手段】洗濯動作を行う洗濯槽（５）と脱水動作を行う脱水槽（７）とが離間して並設された二槽式洗濯機（１）であって、洗濯槽（５）のベース形状を構成する内周面（１９）には、内周面（１９）の基準面（４０）に対して突出している凸部（４１）及び凹んでいる凹部（４２）の少なくとも一方を備えてなる洗浄強化部（２０）であって、洗濯槽（５）内の洗濯物に擦り洗い作用を提供する洗浄強化部（２０）が配設されている。【選択図】図２
2018094318.tif 000002
【特許請求の範囲】
【請求項１】
洗濯動作を行う洗濯槽と脱水動作を行う脱水槽とが離間して並設された二槽式洗濯機であって、
前記洗濯槽の内周面には、前記内周面のベース形状を構成する基準面に対して突出している凸部及び凹んでいる凹部の少なくとも一方を備えてなる洗浄強化部であって、洗濯槽内の洗濯物に擦り洗い作用を提供する洗浄強化部が配設されている、二槽式洗濯機。
【請求項２】
請求項１に記載の二槽式洗濯機において、
前記洗浄強化部が、前記洗濯槽の前記内周面に直に形成されている、二槽式洗濯機。
【請求項３】
請求項１に記載の二槽式洗濯機において、
前記洗浄強化部が、前記洗濯槽とは別部材の洗浄強化部材に形成されて、前記洗浄強化部材が、前記洗濯槽の前記内周面に対して着脱可能である、二槽式洗濯機。
【請求項４】
請求項３に記載の二槽式洗濯機において、
前記洗浄強化部が係合凸部を有し、前記係合凸部が、前記洗濯槽において上下方向に延びる収容凹部に係合する、二槽式洗濯機。
【請求項５】
請求項１から請求項４のいずれか１項に記載の二槽式洗濯機において、
前記洗浄強化部が、前記洗濯槽の前記内周面のうちの平坦部分に配設されている、二槽式洗濯機。
【発明の詳細な説明】
【技術分野】
【０００１】
この発明は、洗濯槽と脱水槽とを備える二槽式洗濯機に関する。
【背景技術】
【０００２】
従来、洗濯動作を行う洗濯槽と脱水動作を行う脱水槽とが離間して並設された二槽式洗濯機では、パルセータの回転で洗濯槽内に生み出される水流によって、洗濯槽内で洗濯物が回転して、洗濯物に機械力を与えることによって汚れを除去している（例えば、特許文献１を参照）。
【先行技術文献】
【特許文献】
【０００３】
【特許文献１】特開２０１５−２０５０９３号公報
【発明の概要】
【発明が解決しようとする課題】
【０００４】
特許文献１の二槽式洗濯機は、洗濯水が通過する通水穴を有し、パルセータの上方において洗濯槽に着脱可能に装着されて洗濯槽内を上下に仕切る仕切板を備えることを開示する。そして、洗濯槽の内壁の四隅における低水位、中水位及び高水位に対応する位置に、上下一対の突条からなる係止部が設けられている。仕切板が上下一対の係止部によって保持されて、パルセータから洗濯物までの距離が多段階に調整されることによって、水流力を調整している。
【０００５】
しかしながら、特許文献１の二槽式洗濯機では、仕切板を保持するための係止部が、洗濯槽の内壁の四隅に設けられているだけであり、内壁が実質的に凹凸を有さないフラット形状をしている。そのため、パルセータの水流力による洗濯力を提供するだけであるので、十分な洗浄力が得られない。
【０００６】
したがって、この発明の解決すべき技術的課題は、より大きな洗浄力によって、頑固な汚れが落ちやすくなる二槽式洗濯機を提供することである。
【課題を解決するための手段】
【０００７】
上記技術的課題を解決するために、この発明によれば、以下の二槽式洗濯機が提供される。
【０００８】
すなわち、この発明に係る二槽式洗濯機は、
洗濯動作を行う洗濯槽と脱水動作を行う脱水槽とが離間して並設された二槽式洗濯機であって、
前記洗濯槽の内周面には、前記内周面のベース形状を構成する基準面に対して突出している凸部及び凹んでいる凹部の少なくとも一方を備えてなる洗浄強化部であって、洗濯槽内の洗濯物に擦り洗い作用を提供する洗浄強化部が配設されていることを特徴とする。
【発明の効果】
【０００９】
この発明の二槽式洗濯機では、洗浄強化部によって、洗濯槽内の洗濯物に摩擦力が加えられ、いわば洗濯板のような擦り洗い作用が提供される。擦り洗い作用によって洗浄力がより大きくなるので、頑固な汚れが落ちやすくなる二槽式洗濯機を提供できる。
【図面の簡単な説明】
【００１０】
【図１】第１実施形態に係る二槽式洗濯機を斜め右上から見た外観斜視図。
【図２】図１の二槽式洗濯機を斜め左上から見た外観斜視図。
【図３】図２の要部を拡大した斜視図。
【図４】第２実施形態に係る二槽式洗濯機を正面斜め上から見た外観斜視図。
【図５】図４の要部を斜め右上から見た拡大斜視図。
【図６】図５よりもやや上方の斜め右上から見た拡大斜視図。
【図７Ａ】洗浄強化部を説明する断面図。
【図７Ｂ】洗浄強化部を説明する断面図。
【図７Ｃ】洗浄強化部を説明する断面図。
【図８Ａ】洗浄強化部を説明する正面図。
【図８Ｂ】洗浄強化部を説明する正面図。
【図８Ｃ】洗浄強化部を説明する正面図。
【発明を実施するための形態】
【００１１】
（第１実施形態）
以下に、第１実施形態に係る二槽式洗濯機１の全体構成について、図１及び図２を参照しながら説明する。図１は、二槽式洗濯機１を斜め右上から見た外観斜視図である。図２は、二槽式洗濯機１を斜め左上から見た外観斜視図である。以下、説明の便宜上、操作部１１が設けられた側を後側とし、二槽式洗濯機１を前側から見た図１を基準として二槽式洗濯機１の方向を特定する。なお、この実施形態は、あくまでも一例であって、当該実施形態に限定されるものではない。
【００１２】
二槽式洗濯機１では、筐体３の内部に、洗濯槽５と脱水槽７とが離間して並設された状態で収納されている。筐体３の上面部には、洗濯槽５の上開口を開閉する着脱可能な洗濯槽蓋と、脱水槽７の上開口を開閉する回動可能な脱水槽蓋とが設けられている。筐体３の上面後方部には、洗濯タイマー用の操作つまみ、脱水タイマー用の操作つまみ、排水切り替え操作コックなどの操作部１１と、給水ホースを接続するためのホース接続部１３とが設けられている。
【００１３】
洗濯槽５は、その底面２９において、上面に複数の撹拌突起を有するパルセータ９と、該パルセータ９を回転駆動するモータ（不図示）とを有する。脱水槽７は、周側部に多数の脱水孔を有する脱水かご（不図示）と、該脱水かごを回転駆動するモータ（不図示）とを有する。洗濯槽５及び脱水槽７は、合成樹脂またはステンレス鋼などを一体に成形したものである。
【００１４】
洗濯槽５の底面２９には、排水口（不図示）が設けられており、当該排水口に対して、機外排水用の排水ホース１５が接続されている。脱水槽７の底面には、排水口（不図示）が設けられており、該排水口に対して、機外排水用の排水ホース１５が接続されている。
【００１５】
洗濯槽５は、内周面１９と底面２９とによって、上方が開放された容器である。内周面１９は、後内壁面２１，右内壁面２２，前内壁面２３，左内壁面２４と、左後内壁面２５，右後内壁面２６，右前内壁面２７及び左前内壁面２８とによって構成される。洗濯槽５は、水平断面視で略トラック形状をしている。後内壁面２１，右内壁面２２，前内壁面２３及び左内壁面２４は、水平断面視で直線状の大略平坦な平坦部分である。左後内壁面２５，右後内壁面２６，右前内壁面２７及び左前内壁面２８は、隣り合った内壁面２１，２２，２３，２４同士をつなぐ、水平断面視で円弧状の湾曲部分である。パルセータ９がモータを含む駆動装置で回転駆動されることによって、水と洗濯物とが洗濯槽５内で一緒に攪拌されて、洗い工程やすすぎ工程が実行される。
【００１６】
図３は、図２の要部を拡大した斜視図である。図１から図３に示すように、洗濯槽５の内周面１９のうち、平坦部分である後内壁面２１及び右内壁面２２には、洗浄強化部２０が形成されている。洗濯槽５の内周面１９のうち、平坦な後内壁面２１及び右内壁面２２に洗浄強化部２０を配設することは、湾曲部分２５，２６，２７，２８への配設よりも容易である。
【００１７】
洗浄強化部２０は、凸部４１及び凹部４２（図７Ｂ及び図７Ｃに図示）の少なくとも一方を備えてなる。基準面４０は、各内壁面２１〜２８におけるベース形状を構成する基準となる面である。凸部４１は、内周面１９の基準面４０に対して内側に向けて突出している。凹部４２は、内周面１９の基準面４０に対して外側に凹んでいる。
【００１８】
図３に示すように、洗浄強化部２０としての凸部４１が、洗濯槽５の内周面１９それ自体に直に形成されている。例えば、各内壁面２１〜２８を金型で製造する際に、金型に形成された逆形状（例えば凹状）の加工部を転写加工することによって、凸部４１を有する洗浄強化部２０が形成される。洗浄強化部２０の凸部４１及び凹部４２は、例えば、縦スジのように、上下方向に延びている。各内壁面２１〜２８には、凸部４１及び凹部４２の少なくとも一方が形成されている。洗濯槽５を製造する際に洗浄強化部２０が内周面１９に形成されるので、内周面１９における洗浄強化部２０の形成に係るコストを低減できる。
【００１９】
洗浄強化部２０としての凸部４１が、洗濯槽５の内周面１９に直に形成される場合、洗濯槽５の内周面１９を外側から見ると、逆形状（例えば凹状）の被加工部が使用者に視認される。筐体３が、内周面１９の外面を覆い隠す外カバーを有する場合には、内周面１９の外面に形成された逆形状の被加工部が外カバーで隠されるので、美感が損なわれることは無い。しかしながら、外カバー無しで内周面１９の外面がそのまま外側に露出する構成の場合には、内周面１９の外面に形成された逆形状の被加工部が使用者に視認されるため、美感が損なわれる。そこで、筐体３が外カバーを有しない場合、内周面１９の外面に形成された逆形状の被加工部が使用者に視認されない部位に、洗浄強化部２０が配設されることが好適である。例えば、脱水槽７に対面する右内壁面２２と、洗濯槽５の後面に位置する後内壁面２１との少なくとも一方に、洗浄強化部２０が配設される。
【００２０】
上記構成によれば、内周面１９に形成された洗浄強化部２０によって、洗濯槽５内の洗濯物に摩擦力が加えられ、いわば洗濯板のような擦り洗い作用が提供される。擦り洗い作用によって洗浄力がより大きくなるので、頑固な汚れが落ちやすくなる二槽式洗濯機１を提供できる。
【００２１】
（第２実施形態）
次に、第２実施形態に係る二槽式洗濯機１について、図４から図６を参照しながら説明する。図４は、二槽式洗濯機１を正面斜め上から見た外観斜視図である。図５及び図６は、図４の要部を斜め右上から見た拡大斜視図である。なお、第２実施形態において、上記第１実施形態での構成要素と同じ機能を有する構成要素には同じ符号を付して、重複する説明を省略する。
【００２２】
図４から図６に示した二槽式洗濯機１では、洗浄強化部材３０が、洗濯槽５とは別部材であって、洗濯槽５の内周面１９に対して着脱可能であるように構成されている。洗濯槽５の内周面１９のうち、平坦な後内壁面２１，右内壁面２２，前内壁面２３及び左内壁面２４に、洗浄強化部２０を有する洗浄強化部材３０が着脱可能に配設することは、湾曲部分２５，２６，２７，２８への配設よりも容易である。
【００２３】
着脱可能な洗浄強化部材３０は、略板状体又はシート形状をしている。該洗浄強化部材３０は、その内側面に凸部４１及び凹部４２（図７Ｂ及び図７Ｃに図示）の少なくとも一方からなる洗浄強化部２０を有し、その外側部分に係合凸部３１を有する。凸部４１及び凹部４２の少なくとも一方は、例えば、縦スジのように、上下方向に延びており、洗浄強化部２０として働く。係合凸部３１は、洗濯槽５の内周面１９に形成された収容凹部３５に係合する。収容凹部３５は、上下方向に延びる溝状収容部である。洗浄強化部材３０は、係合凸部３１が収容凹部３５に対して係合しながら、上下方向にスライド移動できる。洗浄強化部材３０は、洗濯槽５の上開口を通じて、洗濯槽５の内周面１９に対して装着又は取り外し可能である。当該構成によれば、洗濯槽５内で周方向に作用する水流の力に抗することができ、洗濯中に、別部材の洗浄強化部材３０が洗濯槽５の内周面１９から不用意に外れることを防止できる。
【００２４】
洗浄強化部材３０は、例えば、硬質ゴム、合成樹脂、金属または木材から構成される。洗浄強化部材３０は、洗濯槽５の後内壁面２１，右内壁面２２，前内壁面２３及び左内壁面２４のうちの少なくとも１つに対して、着脱可能に配設される。
【００２５】
洗浄強化部材３０が着脱可能に配設されているので、衣類の種類に応じて、異なる擦り洗い作用を提供する様々な洗浄強化部２０を持った洗浄強化部材３０に適宜に交換することができ、生地を傷めることなく洗濯できる。
【００２６】
上記構成によれば、内周面１９に配設される洗浄強化部材３０の洗浄強化部２０によって、洗濯槽５内の洗濯物に摩擦力が加えられ、いわば洗濯板のような擦り洗い作用が提供される。擦り洗い作用によって洗浄力がより大きくなるので、頑固な汚れが落ちやすくなる二槽式洗濯機を提供できる。
【００２７】
（第３実施形態）
図７Ａから図７Ｃは、様々な形態の洗浄強化部２０を説明する断面図である。図８Ａから図８Ｃは、様々な形態の洗浄強化部２０を説明する正面図である。
【００２８】
図７Ａは、凸部４１が基準面４０に対して内側に向けて突出している洗浄強化部２０を示している。図７Ｂは、凹部４２が内周面１９の基準面４０に対して外側に凹んでいる洗浄強化部２０を示している。図７Ｃは、凸部４１及び凹部４２を交互に有する洗浄強化部２０を示している。
【００２９】
図８Ａは、基準面４０に対して突出した凸部４１又は凹んだ凹部４２が上下方向に延びる洗浄強化部２０を示している。図８Ｂは、菱形の基準面４０に対して突出した凸部４１又は凹んだ凹部４２が斜めに交差するように延びる洗浄強化部２０を示している。図８Ｃは、基準面４０に対して突出した凸部４１又は凹んだ凹部４２が点在して配置された洗浄強化部２０を示している。
【００３０】
例えば、ポリエステルやナイロンのような化繊あるいは綿のような傷みにくい生地を洗濯する場合には、やや強い擦り洗い作用を提供する洗浄強化部２０を有する洗浄強化部材３０が使用される。食べこぼしの付着した衣類や泥汚の靴下を洗濯する場合には、非常に強い擦り洗い作用を提供する洗浄強化部２０を有する洗浄強化部材３０が使用される。また、シルクやレーヨンのような傷みやすい生地を洗濯する場合には、凸部４１及び凹部４２が非常に少ない又は無いフラットな洗浄強化部２０を有する洗浄強化部材３０が使用される。
【００３１】
例えば、図８Ｃに示すように凸部４１又は凹部４２が点在して配置された洗浄強化部２０は、やや強い擦り洗い作用を提供する。図８Ａ又は図８Ｂに示すように凸部４１又は凹部４２が上下方向又は斜め方向に延びる洗浄強化部２０は、非常に強い擦り洗い作用を提供する。
【００３２】
以上説明したように、この実施形態の二槽式洗濯機１は、
洗濯動作を行う洗濯槽５と脱水動作を行う脱水槽７とが離間して並設された二槽式洗濯機１であって、
前記洗濯槽５の内周面１９には、前記内周面１９のベース形状を構成する基準面４０に対して突出している凸部４１及び凹んでいる凹部４２の少なくとも一方を備えてなる洗浄強化部２０であって、洗濯槽５内の洗濯物に擦り洗い作用を提供する洗浄強化部２０が形成されていることを特徴とする。
【００３３】
上記構成によれば、凸部４１及び凹部４２の少なくとも一方を備えてなる洗浄強化部２０が洗濯槽５の内周面１９に形成されることによって、洗濯槽５内の洗濯物に摩擦力が加えられ、いわば洗濯板のような擦り洗い作用が提供される。擦り洗い作用によって洗浄力がより大きくなるので、頑固な汚れが落ちやすくなる二槽式洗濯機１を提供できる。
【００３４】
前記洗浄強化部２０が、前記洗濯槽５の前記内周面１９に直に形成されていることが好ましい。
【００３５】
上記構成によれば、洗濯槽５を製造する際に洗浄強化部２０が内周面１９に形成されるので、内周面１９における洗浄強化部２０の形成に係るコストを低減できる。
【００３６】
前記洗浄強化部２０が、前記洗濯槽５とは別部材の洗浄強化部材３０に形成されて、前記洗浄強化部材３０が、前記洗濯槽５の前記内周面１９に対して着脱可能であることが好ましい。
【００３７】
上記構成によれば、洗浄強化部材３０が着脱可能に配設されているので、生地の種類に応じて、異なる擦り洗い作用を提供する様々な洗浄強化部材３０に適宜に取り替えることができ、生地を傷めることなく洗濯できる。
【００３８】
前記洗浄強化部材３０が係合凸部３１を有し、前記係合凸部３１が、前記洗濯槽５において上下方向に延びる収容凹部３５に係合することが好ましい。
【００３９】
上記構成によれば、洗濯槽５内で周方向に作用する水流の力に抗することができ、洗濯中に、別部材の洗浄強化部材３０が洗濯槽５の内周面１９から不用意に外れることを防止できる。
【００４０】
前記洗浄強化部２０が、前記洗濯槽５の前記内周面１９のうちの平坦部分２１，２２，２３，２４に配設されていることが好ましい。
【００４１】
上記構成によれば、洗濯槽５の内周面１９での洗浄強化部２０の配設が、湾曲部分２５，２６，２７，２８よりも容易である。
【００４２】
この実施形態を具体的に説明したが、この実施形態は、上記実施形態に限定されるものではなく、特許請求の範囲又はその均等の範囲において種々変更して実施することができる。洗浄強化部２０及び洗浄強化部材３０を説明するための一例であって、それらを限定するものでは無く、必要に応じて様々な変形を行うことができる。
【００４３】
洗浄強化部２０は、様々な形状をした凸部と凹部と平坦部とを適宜に組み合わせた、洗濯板のようなギザギザした部分である。洗浄強化部２０は、上記以外の形態として、平面視で三角形や正方形や長方形や台形などの多角形形状あるいは楕円形状などにすることができ、断面視で波形や矩形などにすることもできる。様々な形状をした当該洗浄強化部２０によって、擦り洗い作用の大小を調整できる。
【００４４】
洗濯槽５とは別部材の洗浄強化部材３０が、洗濯槽５の内周面１９に対して着脱可能である構成として、様々な態様にすることができる。例えば、洗浄強化部材３０が、収容凹部３５の側面に付勢する係止爪を有して、洗浄強化部材３０の係止爪が収容凹部３５の係止凹部に係合する構成とすることもできる。また、洗浄強化部２０を有する略板状体又はシート形状の洗浄強化部材３０を、面ファスナーを介して、洗濯槽５の内周面１９に貼付する構成にすることもできる。
【００４５】
また、洗浄強化部２０は、湾曲している左後内壁面２５，右後内壁面２６，右前内壁面２７及び左前内壁面２８の少なくとも１つに配設されてもよい。
【符号の説明】
【００４６】
１  二槽式洗濯機
３  筐体
５  洗濯槽
７  脱水槽
９  パルセータ
１１  操作部
１３  ホース接続部
１５  排水ホース
１９  内周面
２０  洗浄強化部
２１  後内壁面（平坦部分）
２２  右内壁面（平坦部分）
２３  前内壁面（平坦部分）
２４  左内壁面（平坦部分）
２５  左後内壁面（湾曲部分）
２６  右後内壁面（湾曲部分）
２７  右前内壁面（湾曲部分）
２８  左前内壁面（湾曲部分）
２９  底面
３０  洗浄強化部材
３１  係合凸部
３５  収容凹部
４０  基準面
４１  凸部
４２  凹部
【図１】
2018094318.tif 000003
【図２】
2018094318.tif 000004
【図３】
2018094318.tif 000005
【図４】
2018094318.tif 000006
【図５】
2018094318.tif 000007
【図６】
2018094318.tif 000008
【図７Ａ】
2018094318.tif 000009
【図７Ｂ】
2018094318.tif 000010
【図７Ｃ】
2018094318.tif 000011
【図８Ａ】
2018094318.tif 000012
【図８Ｂ】
2018094318.tif 000013
【図８Ｃ】
2018094318.tif 000014